(57)【要約】【課題】利用者が撮影した画像をカラオケ演奏の背景映像として利用する場合に、楽曲の盛り上がりに合わせて適切な画像を表示することが可能なカラオケシステムを提供する。【解決手段】サーバ装置は、撮影日時及び撮影場所が紐づけられた画像を、利用者識別情報と関連付けて記憶する画像記憶部、カラオケ装置に利用者がログインした場合、所定時間内に記憶された画像の中に、共通画像があるかどうかを判別する判別部、時系列に設定される所定の時間帯毎に、共通画像の撮影枚数を集計した集計情報を取得する集計部、集計情報及び共通画像をカラオケ装置に送信するデータ送信部を有する。カラオケ装置は、楽曲の演奏区間に対して、所定の時間帯毎の共通画像を割り当てる場合、撮影枚数が多い時間帯の共通画像をサビ区間に割り当てる割り当て部、楽曲のカラオケ演奏に伴って、演奏区間に対して割り当てられた共通画像を背景映像として表示部に表示させる表示制御部を有する。【選択図】図６
2020020892.tif 000002
【特許請求の範囲】
【請求項１】
サーバ装置とカラオケ装置を有するカラオケシステムであって、
前記サーバ装置は、
利用者が所有する携帯端末から送信された、撮影日時及び撮影場所が紐づけられた画像を、利用者識別情報と関連付けて記憶する画像記憶部と、
前記カラオケ装置に利用者がログインした場合、所定時間内に記憶された前記画像の中に、当該ログインした利用者の携帯端末から送信された画像が複数あるかどうかを判別し、画像が複数ある場合、その中に撮影日時及び撮影場所が共通する共通画像があるかどうかを判別する判別部と、
前記共通画像がある場合、当該共通画像に紐づけられた前記撮影日時に応じて時系列に設定される所定の時間帯毎に、共通画像の撮影枚数を集計した集計情報を取得する集計部と、
前記集計情報及び前記共通画像を前記カラオケ装置に送信するデータ送信部と、
を有し、
前記カラオケ装置は、
利用者が選曲した楽曲の演奏区間に対して、前記所定の時間帯毎の共通画像を割り当てる場合、前記撮影枚数が多い時間帯の共通画像をサビ区間に割り当てる割り当て部と、
前記楽曲のカラオケ演奏に伴って、前記演奏区間に対して割り当てられた前記共通画像を背景映像として表示部に表示させる表示制御部と、
を有するカラオケシステム。
【請求項２】
前記割り当て部は、前記所定の時間帯毎の共通画像を割り当てる場合、前記所定の時間帯に応じて時系列に割り当てることを特徴とする請求項１記載のカラオケシステム。
【請求項３】
前記表示制御部は、前記共通画像を背景映像として表示させる場合、前記共通画像に紐づけられている撮影日時に応じて時系列に表示させることを特徴とする請求項１または２記載のカラオケシステム。
【請求項４】
前記表示制御部は、各演奏区間の長さに応じて一の共通画像を表示する時間を調整することを特徴とする請求項１〜３のいずれか一つに記載のカラオケシステム。
【請求項５】
前記表示制御部は、ある演奏区間において割り当てられた共通画像の表示が終了した場合、他の演奏区間に割り当てられた共通画像を表示させることを特徴とする請求項１〜３のいずれか一つに記載のカラオケシステム。
【請求項６】
前記表示制御部は、ある演奏区間において割り当てられた共通画像の表示が終了した場合、当該ある演奏区間に割り当てられた共通画像を繰り返し表示させることを特徴とする請求項１〜３のいずれか一つに記載のカラオケシステム。
【発明の詳細な説明】
【技術分野】
【０００１】
本発明はカラオケシステムに関する。
【背景技術】
【０００２】
カラオケ装置は、カラオケ演奏を行う際に歌詞テロップと併せて背景映像を表示することができる。
【０００３】
背景映像としては、たとえばカラオケ装置に予め記憶されている複数の映像の中から、選曲された楽曲のジャンル等に適した映像が選択される。或いは、楽曲を歌唱するアーティストのライブ映像やプロモーションビデオ映像を背景映像とする楽曲も増えてきている。
【０００４】
一方、カラオケ装置の利用者の中には、自分で撮影した画像を背景映像として利用したいと考える者もいる。
【０００５】
特許文献１には、利用者がデジタルカメラで撮影した画像を記憶したメモリーカードをカラオケ装置に挿入することにより、カラオケ演奏時に、メモリーカードに記憶されている画像を背景映像として表示する技術が開示されている。また、特許文献２には、利用者が携帯端末で撮影した画像を予めサーバに送信し、送信した利用者がカラオケ装置で楽曲を選曲したときに、選曲された楽曲に対応付けられている画像がある場合には、サーバから受信した画像を楽曲の背景映像として使用する技術が開示されている。
【先行技術文献】
【特許文献】
【０００６】
【特許文献１】特開２００４−２７１９５９号公報
【特許文献２】特開２００６−００３８４３号公報
【発明の概要】
【発明が解決しようとする課題】
【０００７】
ところで、カラオケ演奏される楽曲は、前奏区間、Ａメロ区間、Ｂメロ区間、サビ区間といった複数の演奏区間により構成されている。この中で、サビ区間は、一般に楽曲中で最も盛り上がる演奏区間である。
【０００８】
ここで、特許文献１や特許文献２の技術により利用者が撮影した画像を背景映像として表示する場合、演奏される楽曲と関係なく、記憶された画像（特許文献１）やサーバが受信した画像（特許文献２）が表示される。よって、たとえば、結婚式で撮影した複数の画像を背景映像として利用する場合に、ケーキ入刀やキャンドルサービスのように盛り上がる場面の画像が、楽曲のサビ区間以外の演奏区間で表示されてしまうといった問題が生じる。
【０００９】
本発明の目的は、利用者が撮影した画像をカラオケ演奏の背景映像として利用する場合に、楽曲の盛り上がりに合わせて適切な画像を表示することが可能なカラオケシステムを提供することにある。
【課題を解決するための手段】
【００１０】
上記目的を達成するための一の発明は、サーバ装置とカラオケ装置を有するカラオケシステムであって、前記サーバ装置は、利用者が所有する携帯端末から送信された、撮影日時及び撮影場所が紐づけられた画像を、利用者識別情報と関連付けて記憶する画像記憶部と、前記カラオケ装置に利用者がログインした場合、所定時間内に記憶された前記画像の中に、当該ログインした利用者の携帯端末から送信された画像が複数あるかどうかを判別し、画像が複数ある場合、その中に撮影日時及び撮影場所が共通する共通画像があるかどうかを判別する判別部と、前記共通画像がある場合、当該共通画像に紐づけられた前記撮影日時に応じて時系列に設定される所定の時間帯毎に、共通画像の撮影枚数を集計した集計情報を取得する集計部と、前記集計情報及び前記共通画像を前記カラオケ装置に送信するデータ送信部と、を有し、前記カラオケ装置は、利用者が選曲した楽曲の演奏区間に対して、前記所定の時間帯毎の共通画像を割り当てる場合、前記撮影枚数が多い時間帯の共通画像をサビ区間に割り当てる割り当て部と、前記楽曲のカラオケ演奏に伴って、前記演奏区間に対して割り当てられた前記共通画像を背景映像として表示部に表示させる表示制御部と、を有するカラオケシステムである。
本発明の他の特徴については、後述する明細書及び図面の記載により明らかにする。
【発明の効果】
【００１１】
本発明によれば、利用者が撮影した画像をカラオケ演奏の背景映像として利用する場合に、楽曲の盛り上がりに合わせて適切な画像を表示することができる。
【図面の簡単な説明】
【００１２】
【図１】実施形態に係るカラオケシステムの概略を示す図である。
【図２】実施形態に係るサーバ装置のハードウェア構成例を示す図である。
【図３】実施形態に係る集計情報を示す図である。
【図４】実施形態に係るカラオケ装置のハードウェア構成例を示す図である。
【図５Ａ】ある楽曲の演奏区間と割り当てられた共通画像との関係を示した図である。
【図５Ｂ】ある楽曲の演奏区間と割り当てられた共通画像との関係を示した図である。
【図６】実施形態に係るカラオケシステムの処理を示すフローチャートである。
【発明を実施するための形態】
【００１３】
＜実施形態＞
図１〜図６を参照して、実施形態に係るカラオケシステムについて説明する。
【００１４】
＝＝カラオケシステム＝＝
図１に示すように、本実施形態に係るカラオケシステム１は、サーバ装置Ｓ及びカラオケ装置Ｋを備える。サーバ装置Ｓとカラオケ装置Ｋとは、ネットワークＮを介して通信可能となっている。ネットワークＮは、たとえば公衆電話回線網やインターネット回線等の伝送路である。また、カラオケシステム１は、利用者が所有する携帯端末と通信可能となっている。
【００１５】
携帯端末は、一般的なスマートフォンやタブレット端末である。携帯端末は、撮影機能を有する。利用者は、携帯端末を用いて様々な場面において写真撮影が可能となる。撮影された画像には、撮影日時及び撮影場所が紐付けられ、携帯端末のメモリに記憶される。撮影日時は、少なくとも撮影を行った月日（たとえば７月１０日）、及び時分（たとえば１５時００分）を示す情報である。撮影日時には、撮影年（たとえば２０１８年）や秒（たとえば１５時００分１５秒）が含まれていてもよい。撮影場所は、撮影を行った具体的な場所（たとえば●●ホテル、●●アリーナ）を示す情報である。
【００１６】
また、携帯端末には、カラオケシステム１を利用する際に使用する専用アプリケーションソフトウェア（以下、「カラオケアプリ」）がインストールされている。本実施形態に係るカラオケアプリは、あるイベント中に携帯端末で撮影した画像をカラオケ演奏の背景映像として表示する際（詳細は後述）に利用するソフトウェアである。カラオケアプリは、サーバ装置Ｓや、サーバ装置Ｓが提供するＷｅｂサイトからダウンロードすることで入手できる。各利用者は、カラオケアプリの初回利用時（またはダウンロード時）に利用者識別情報を登録する。利用者識別情報は、各利用者固有の情報であって、カラオケアプリの利用時及びカラオケシステム１へのログイン時に使用することができる共通の情報である。利用者識別情報は、たとえば、任意の数字や文字からなる利用者ＩＤである。なお、カラオケシステム１の初回利用時に利用者識別情報を登録しておき、カラオケアプリを利用する際の利用者識別情報として用いてもよい。
【００１７】
本実施形態においては、結婚式Ｍ（イベントの一例）に参加している利用者Ｕ１〜利用者Ｕ４が、それぞれ携帯端末Ｍ１〜携帯端末Ｍ４を所有している（図１参照）。また、各携帯端末では、カラオケアプリが実行されている。従って、ある利用者がカラオケアプリを介して結婚式Ｍの一場面を撮影した場合、携帯端末は、撮影した画像（撮影日時及び撮影場所が紐付けられた画像）に利用者識別情報（利用者ＩＤ）を関連付けてサーバ装置Ｓに送信する。
【００１８】
＝＝サーバ装置＝＝
サーバ装置Ｓは、カラオケ装置Ｋに関する各種情報を管理したり、各携帯端末から送信される情報の処理を行うコンピュータである。図２はサーバ装置Ｓのハードウェア構成例を示す図である。サーバ装置Ｓは、記憶部１０、通信部２０、及び制御部３０を備える。各構成はインターフェース（図示なし）を介してバスＢに接続されている。
【００１９】
記憶部１０は、各種のデータを記憶する大容量の記憶装置である。本実施形態に係る記憶部１０の記憶領域の一部は、画像記憶部１０ａとして機能する。
【００２０】
画像記憶部１０ａは、利用者が所有する携帯端末から送信された、撮影日時及び撮影場所が紐づけられた画像を、利用者識別情報と関連付けて記憶する。
【００２１】
本実施形態において、画像記憶部１０ａは、利用者Ｕ１〜利用者Ｕ４の携帯端末Ｍ１〜携帯端末Ｍ４から送信された結婚式Ｍの画像を複数記憶する。各画像には、撮影日時（結婚式Ｍの開催日（撮影日）、及び撮影時刻）及び撮影場所（結婚式Ｍの開催場所）が紐付けられている。なお、これらの画像は、カラオケ演奏の背景映像として使用される予定の画像である。
【００２２】
通信部２０は、サーバ装置Ｓとカラオケ装置Ｋまたは各携帯端末とを接続するためのインターフェースを提供する。制御部３０は、サーバ装置Ｓにおける各種の制御を行う。制御部３０は、ＣＰＵおよびメモリ（いずれも図示なし）を備える。ＣＰＵは、メモリに記憶されたプログラムを実行することにより各種の機能を実現する。本実施形態において、制御部３０は、判別部３０ａ、集計部３０ｂ、及びデータ送信部３０ｃとして機能する。
【００２３】
［判別部］
判別部３０ａは、カラオケ装置Ｋに利用者がログインした場合、所定時間内に記憶された画像の中に、当該ログインした利用者の携帯端末から送信された画像が複数あるかどうかを判別し、画像が複数ある場合、その中に撮影日時及び撮影場所が共通する共通画像があるかどうかを判別する。
【００２４】
利用者は、カラオケシステム１の利用にあたって、最初にログイン操作（自己の利用者ＩＤやパスワードの入力）を行なう。具体的に、利用者は、自己の携帯端末でカラオケアプリを起動させてカラオケ装置Ｋとのペアリングが完了した後、利用者ＩＤ及びパスワードを入力する。携帯端末は、入力された利用者ＩＤ及びパスワードをカラオケ装置Ｋに送信する。カラオケ装置Ｋは、受信した利用者ＩＤ及びパスワードに基づいて当該利用者ＩＤに対応する利用者がカラオケシステム１にログインする処理を行う。ログイン処理を行うことにより、カラオケシステム１は、現在、カラオケ装置Ｋを利用している利用者を特定することができる。複数の利用者でカラオケシステム１を利用する場合、利用者毎にログイン操作を行う。なお、利用者は、リモコン装置８０（図４参照）を用いてログイン操作を行ってもよい。また、カラオケ装置Ｋと携帯端末とのペアリングやカラオケシステム１にログインする処理は公知の手法を用いることができる。
【００２５】
「所定時間」は、ログインした利用者の携帯端末から送信された画像（あるイベントで撮影された画像）を特定するための時間である。たとえば、結婚式Ｍに参加した利用者Ｕ１〜利用者Ｕ４が、結婚式の２次会においてカラオケ装置Ｋを利用してカラオケ歌唱を行いたいと考えたとする。また、その際にカラオケ演奏の背景映像として、結婚式Ｍの会場で撮影した画像を使用したいと考えたとする。この場合に、画像記憶部１０ａに記憶されている画像のうち、各利用者がログインした時刻から数時間前の画像であれば、各利用者が結婚式Ｍの会場で撮影した画像である可能性が高い。所定時間は、このような画像を特定するためにイベントの種類等に応じて予め適当な値（たとえば、利用者がログインした時刻を基準として３時間前まで）が設定される。
【００２６】
具体例として、利用者は、カラオケ装置Ｋにログインした後、リモコン装置８０（図４参照）を介して専用のモード（撮影した画像を背景映像として表示するモード）を選択する。専用のモードが選択された場合、カラオケ装置Ｋは、ログインした各利用者の利用者ＩＤをサーバ装置Ｓに送信する。
【００２７】
判別部３０ａは、画像記憶部１０ａに記憶されている画像の中から所定時間内に記憶された画像を抽出する。そして、判別部３０ａは、抽出した画像の中に、カラオケ装置Ｋから受信した利用者ＩＤと一致する利用者ＩＤが関連付けられた画像が複数あるかどうかを判別する。これらの画像は、利用者ＩＤに対応する利用者がカラオケアプリを介して携帯端末により撮影した画像（背景映像として使用することを前提に撮影した画像）である。なお、これらの画像は、同一の利用者により撮影された画像であってもよいし、複数の利用者により撮影された画像であってもよい。
【００２８】
画像が複数ある場合、判別部３０ａは、各画像に紐付けられた撮影日時及び撮影場所を参照し、それらが共通する共通画像があるかどうかを判別する。撮影日時及び撮影場所が共通するとは、撮影日時や撮影場所が完全に一致する場合だけでなく、近似する場合も含む。たとえば、撮影時間に数時間の差がある場合であっても、撮影日及び撮影場所が同じ場合、判別部３０ａは共通する画像があると判別する。
【００２９】
一例として、結婚式のようなイベントの場合、式の開始から終了まで通常、２〜３時間を要する。この場合、判定部３０ａは、抽出された画像（所定時間内に記憶された画像）の撮影時刻うち直近の撮影時刻を基準とし、当該直近の撮影時刻から２〜３時間前の撮影時刻が紐付けられている画像を、共通画像として判別する。
【００３０】
［集計部］
集計部３０ｂは、共通画像がある場合、当該共通画像に紐づけられた撮影日時に応じて時系列に設定される所定の時間帯毎に、共通画像の撮影枚数を集計した集計情報を取得する。
【００３１】
所定の時間帯は、共通画像を分ける際の基準となる値である。所定の時間帯は、たとえば、５分間隔、１０分間隔といったように、各イベントの長さに応じて適当な値が設定される。
【００３２】
上記例において、集計部３０ｂは、利用者Ｕ１〜利用者Ｕ４によって撮影された複数の共通画像に紐付けられている撮影日時（撮影時刻）のうち、最も早い撮影時刻を基準とし、ある間隔毎に所定の時間帯を設定する。集計部３０ｂは、各時間帯に含まれる共通画像の撮影枚数を集計し、集計情報を取得する。図３は、本実施形態における結婚式Ｍのプログラム、及び所定の時間帯毎の撮影枚数（集計情報）を示した図である。この例では、所定の時間帯として「１０分間隔」が設定されているとする。たとえば、イベントが結婚式の場合、図３の例であれば、撮影枚数が比較的多い時間帯(Ｔ５、Ｔ１１、Ｔ１５)は、ケーキ入刀、キャンドルサービス開始時、及び両親への手紙といったプログラムの時間に相当するとみなすことができ、一方、撮影枚数が少ない時間帯（Ｔ１、Ｔ１８やＴ８〜Ｔ１０）は、ゲストの入退場やお色なおしに相当するとみなすことができる。
【００３３】
［データ送信部］
データ送信部３０ｃは、集計情報及び共通画像をカラオケ装置に送信する。
【００３４】
図３に示したような集計情報が得られた場合、データ送信部３０ｃは、当該集計情報と集計に使用した共通画像を利用者Ｕ１〜利用者Ｕ４がログインしているカラオケ装置Ｋに送信する。
【００３５】
＝＝カラオケ装置＝＝
［ハードウェア構成］
カラオケ装置Ｋは、楽曲のカラオケ演奏、及び利用者がカラオケ歌唱を行うための装置である。
【００３６】
図４に示すように、カラオケ装置Ｋは、カラオケ本体４０、スピーカ５０、表示装置６０、マイク７０、及びリモコン装置８０を備える。
【００３７】
スピーカ５０はカラオケ本体４０からの放音信号に基づいて放音するための構成である。表示装置６０はカラオケ本体４０からの信号に基づいて映像や画像を画面に表示するための構成である。マイク７０は利用者の歌唱音声（マイク７０への入力音声）をアナログの音声信号に変換してカラオケ本体４０に入力するための構成である。リモコン装置８０は、カラオケ本体４０に対する各種操作をおこなうための装置である。利用者はリモコン装置８０を用いてカラオケ歌唱を希望する楽曲の検索や選曲（予約）等を行うことができる。リモコン装置８０の表示画面には各種操作の指示入力を行うためのアイコン等が表示される。
【００３８】
カラオケ本体４０は、選曲された楽曲のカラオケ演奏制御、歌詞や背景映像等の表示制御、マイク７０を通じて入力された音声信号の処理といった、カラオケ歌唱に関する各種の制御を行う。図４に示すように、カラオケ本体４０は、制御部４１、通信部４２、記憶部４３、音響処理部４４、表示処理部４５、及び操作部４６を備える。各構成はインターフェース（図示なし）を介してバスＢに接続されている。
【００３９】
制御部４１は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００４０】
通信部４２は、ルーター（図示なし）を介してカラオケ本体４０を通信回線に接続するためのインターフェースを提供する。
【００４１】
記憶部４３は、各種のデータを記憶する大容量の記憶装置であり、たとえばハードディスクドライブなどである。たとえば、記憶部４３は、カラオケ装置Ｋにおいてカラオケ演奏を行うための複数の楽曲（楽曲データ）を記憶する。
【００４２】
音響処理部４４は、制御部４１の制御に基づき、楽曲に対するカラオケ演奏の制御およびマイク７０を通じて入力された歌唱音声信号の処理を行う。表示処理部４５は、制御部４１の制御に基づき、表示装置６０やリモコン装置８０における各種表示に関する処理を行う。たとえば、表示処理部４５は、カラオケ演奏時における背景映像に歌詞テロップや各種アイコンが重ねられた映像を表示装置６０に表示させる。或いは、表示処理部４５は、リモコン装置８０の表示画面に操作入力用の各種アイコンを表示させる。
【００４３】
操作部４６は、パネルスイッチおよびリモコン受信回路などからなり、利用者によるカラオケ装置Ｋのパネルスイッチあるいはリモコン装置８０の操作に応じて選曲信号、演奏中止信号などの操作信号を制御部４１に対して出力する。制御部４１は、操作部４６からの操作信号を検出し、対応する処理を実行する。
【００４４】
ここで、本実施形態に係る制御部４１は、ＣＰＵがメモリに記憶されるプログラムを実行することにより、割り当て部４１ａ及び表示制御部４１ｂとして機能する。
【００４５】
（割り当て部）
割り当て部４１ａは、利用者が選曲した楽曲の演奏区間に対して、所定の時間帯毎の共通画像を割り当てる場合、撮影枚数が多い時間帯の共通画像をサビ区間に割り当てる。
【００４６】
楽曲はそれぞれ複数の演奏区間を有する。演奏区間の情報は、たとえば楽曲データに含まれている。具体例として、楽曲Ｘは時系列に、前奏区間、Ａメロ区間（１）、Ｂメロ区間（１）、サビ区間（１）、間奏区間（１）、Ａメロ区間（２）、Ｂメロ区間（２）、サビ区間（２）、間奏区間（２）、Ｃメロ区間、サビ区間（３）、後奏区間の１２区間から構成されている。一方、前奏区間の後直ぐにサビ区間のカラオケ演奏が開始される楽曲もある。たとえば楽曲Ｙは時系列に、前奏区間、サビ区間（１）、Ａメロ区間（１）、Ｂメロ区間（１）、サビ区間（２）、間奏区間、Ｂメロ区間（２）、Ｃメロ区間、サビ区間（３）、後奏区間の１０区間から構成されている。
【００４７】
割り当て部４１ａは、利用者が選曲した楽曲の演奏区間の情報及びサビ区間の数を楽曲データから取得する。次に、割り当て部４１ａは、集計情報を参照し、所定の時間帯毎に含まれる共通画像のうち、画像の枚数が多い時間帯をサビ区間の数だけ特定する。そして、割り当て部４１ａは、サビ区間に対して特定した時間帯の共通画像を割り当てる。
【００４８】
たとえば、利用者Ｕ１が楽曲Ｘを選曲した場合に、図３の集計情報を用いて演奏区間毎に共通画像を割り当てるとする。
【００４９】
この場合、割り当て部４１ａは、楽曲Ｘの演奏区間の情報及びサビ区間の数（３つ）を楽曲データから取得する。次に、割り当て部４１ａは、集計情報に基づいて、撮影枚数が多い時間帯を３つ特定する。図３に示した集計情報によれば、時間帯Ｔ５（結婚式であればケーキ入刀の開始時間に相当）、時間帯Ｔ１１（結婚式であればキャンドルサービスの開始時間に相当）、及び時間帯Ｔ１５（結婚式であれば両親への手紙が読まれている時間に相当）の順に撮影枚数が多い。よって、割り当て部４１ａは、それらの時間帯を撮影枚数が多い時間帯として特定する。
【００５０】
次に、割り当て部４１ａは、楽曲Ｘの１２の演奏区間毎に、所定の時間帯毎の共通画像を割り当てる。この際、割り当て部４１ａは、撮影枚数が多い時間帯の共通画像をサビ区間に割り当てる。
【００５１】
上述の通り、楽曲Ｘの１２の演奏区間のうちサビ区間は３つある。よって、割り当て部４１ａは、特定された撮影枚数が多い３つの時間帯をサビ区間に割り当てる。
【００５２】
ここで、割り当て部４１ａは、所定の時間帯毎の共通画像を割り当てる場合、所定の時間帯に応じて時系列に割り当てることが好ましい。
【００５３】
たとえば、図５Ａは、楽曲Ｘの演奏区間と、割り当てられた共通画像の関係を示す図である。図５Ａに示したように、割り当て部４１ａは、特定された３つの時間帯のうち、最も早い時間帯である時間帯Ｔ５の共通画像を最初のサビ区間（１）に割り当て、次に早い時間帯Ｔ１１の共通画像をサビ区間（２）に割り当て、最後に時間帯Ｔ１５の共通画像をサビ区間（３）に割り当てる。
【００５４】
同様に、割り当て部４１ａは、時間帯Ｔ１〜Ｔ４（ゲスト入場〜乾杯までの時間に相当）の共通画像を前奏区間、Ａメロ区間（１）、及びＢメロ区間（１）に割り当て、時間帯Ｔ６〜Ｔ１０（ケーキ入刀の後半〜お色直しまでの時間に相当）の共通画像を間奏区間（１）、Ａメロ区間（２）、及びＢメロ区間（２）に割り当て、時間帯Ｔ１２〜Ｔ１４（キャンドルサービスの後半〜余興までの時間に相当）の共通画像を間奏区間（２）及びＣメロ区間に割り当て、時間帯Ｔ１６〜Ｔ１８（謝辞〜ゲスト退場までの時間に相当）までの共通画像を後奏区間に割り当てる。
【００５５】
また、図５Ｂは、楽曲Ｙの演奏区間と割り当てられた共通画像の関係を示す図である。図５Ｂに示したように、割り当て部４１ａは、特定された３つの時間帯のうち、時間帯Ｔ５を最初のサビ区間（１）に割り当て、時間帯Ｔ１１をサビ区間（２）に割り当て、時間帯Ｔ１５をサビ区間（３）に割り当てる。
【００５６】
同様に、割り当て部４１ａは、時間帯Ｔ１〜Ｔ４（ゲスト入場〜乾杯までの時間に相当）の共通画像を前奏区間に割り当て、時間帯Ｔ６〜Ｔ１０ケーキ入刀の後半〜お色直しまでの時間に相当）の共通画像を、Ａメロ区間（１）、及びＢメロ区間（１）に割り当て、時間帯Ｔ１２〜Ｔ１４（キャンドルサービスの後半〜余興までの時間に相当）の共通画像を間奏区間、Ｂメロ区間（２）、及びＣメロ区間に割り当て、時間帯Ｔ１６〜Ｔ１８（謝辞〜ゲスト退場までの時間に相当）までの共通画像を後奏区間に割り当てる。
【００５７】
このように、割り当て部４１ａは、サビ区間以外の演奏区間については、演奏区間の数に応じて、所定の時間帯毎の共通画像を適宜割り当てることができる。なお、演奏区間の数よりも所定の時間帯の数が少ない場合、割り当て部４１ａは、異なる演奏区間に同じ時間帯の共通画像を割り当ててもよい。
【００５８】
割り当て部４１ａによる割り当てが終了した後、カラオケ装置Ｋは楽曲Ｘのカラオケ演奏を開始する。
【００５９】
（表示制御部）
表示制御部４１ｂは、楽曲のカラオケ演奏に伴って、演奏区間に対して割り当てられた共通画像を背景映像として表示部に表示させる。
【００６０】
たとえば、表示制御部４１ｂは、楽曲Ｘのカラオケ演奏に伴って、演奏区間に対して割り当てられた複数の共通画像を背景映像として表示装置３０に表示させる。たとえば、表示制御部４１ｂは、サビ区間（１）に対して割り当てられた４０枚の共通画像（時間帯Ｔ５の共通画像。図３参照）を背景映像として順次、表示装置３０に表示させる。
【００６１】
ここで、表示制御部４１ｂは、共通画像を背景映像として表示させる場合、共通画像に紐づけられている撮影日時に応じて時系列に表示させることが好ましい。
【００６２】
たとえば、楽曲Ｘのサビ区間（１）には、４０枚の共通画像が割り当てられている。この場合、表示制御部４１は、４０枚の共通画像それぞれに紐付けられている撮影日時（撮影時刻）を参照し、撮影時刻が早い共通画像から順に時系列に表示させる。
【００６３】
一方、演奏区間に応じて割り当てられた共通画像の枚数は異なる。よって、演奏区間の長さに対して、共通画像の数が多い場合、表示しきれない画像が生じる可能性がある。逆に、演奏区間の長さに対して表示できる共通画像の数が少ない場合、演奏区間の途中で表示できる共通画像が無くなる可能性がある。このような問題を解決するため、表示制御部４１ｂは、共通画像の表示に関していくつかの方法を実行可能である。
【００６４】
第１の方法として、表示制御部４１ｂは、各演奏区間の長さに応じて一の共通画像を表示する時間を調整することが可能である。
【００６５】
たとえば、楽曲Ｘのサビ区間（１）の演奏時間が２０秒であるとする。この場合、表示制御部４１ｂは、画像１枚当たりの表示時間を０．５秒として共通画像の表示を行う。一方、楽曲Ｘの前奏区間、Ａメロ区間（１）、及びＢメロ区間（１）の演奏時間は１分であり、そこに割り当てられた共通画像は、合計で２０枚であったとする。この場合、表示制御部４１ｂは、画像１枚当たりの表示時間を３秒として共通画像の表示を行う。
【００６６】
第２の方法として、表示制御部４１ｂは、ある演奏区間において割り当てられた共通画像の表示が終了した場合、他の演奏区間に割り当てられた共通画像を表示させることができる。
【００６７】
たとえば、楽曲Ｘの間奏区間、Ａメロ区間（２）、及びＢメロ区間（２）の演奏時間は１分であり、そこに割り当てられた共通画像は、合計で２０枚であったとする。この場合に、表示制御部４１ｂは、画像１枚当たりの表示時間をサビ区間（１）と同様、０．５秒としたとする。この場合、演奏時間の途中で割り当てられた共通画像は全て表示されてしまう。そこで、表示制御部４１ｂは、他の演奏区間（たとえば、前奏区間）に割り当てられた共通画像を改めて表示させる。
【００６８】
第３の方法として、表示制御部４１ｂは、ある演奏区間において割り当てられた共通画像の表示が終了した場合、当該ある演奏区間に割り当てられた共通画像を繰り返し表示させることができる。
【００６９】
たとえば、楽曲Ｘの間奏区間（１）、Ａメロ区間（２）、及びＢメロ区間（２）の演奏時間は１分であり、そこに割り当てられた共通画像は、合計で２０枚であったとする。この場合に、表示制御部４１ｂは、画像１枚当たりの表示時間をサビ区間（１）と同様、０．５秒としたとする。この場合、演奏時間の途中で割り当てられた共通画像は全て表示されてしまう。そこで、表示制御部４１ｂは、同じ演奏区間（間奏区間（１）、Ａメロ区間（２）、及びＢメロ区間（２））に割り当てられた共通画像を改めて表示させる。
【００７０】
なお、より音楽的に楽曲の進行に合わせた画像の表示制御を行ってもよい。たとえば、表示制御部４１ｂはサビ区間（３）の小節数８と１小節の拍数４を取得する。小節数と拍数は予め楽曲の演奏区間の情報と共に楽曲データに含まれているものとする。楽曲Ｘのサビ区間（３）に２６枚の共通画像が割り当てられている場合、表示制御部４１ｂは、１小節目から７小節目までは画像を３枚ずつ順次表示させ、表示する長さをそれぞれ２拍、１拍、１拍とし、８小節目には画像を５枚順次表示させ、表示する長さをそれぞれ２拍、０．５拍、０．５拍、０．５拍、０．５拍とすることができる。１小節の画像の表示枚数と各画像を表示する長さは、当該区間の共通画像の枚数、小節数、拍数から適切な値を算出することができる。このような画像表示の切り替えを行うことにより、エンターテインメント性の高い背景映像を提供することができるとともに、共通画像の数に応じて柔軟に対応することができる。
【００７１】
＝＝カラオケシステムにおける処理について＝＝
次に、図６を参照して本実施形態に係るカラオケシステム１における処理の具体例について述べる。図６は、カラオケシステム１における処理例を示すフローチャートである。この例において、画像記憶部１０ａは、各利用者が所有する携帯端末から送信された、撮影日時及び撮影場所が紐づけられた画像を、利用者識別情報と関連付けて記憶しているとする。
【００７２】
各利用者は、携帯端末やリモコン装置８０等を介してカラオケ装置Ｋにログインを行う（ログイン。ステップ１０）。
【００７３】
判別部３０ａは、所定時間内に画像記憶部１０ａに記憶された画像の中に、ステップ１０でログインした各利用者の携帯端末から送信された画像が複数あるかどうかを判別する。
【００７４】
画像が複数ある場合（ステップ１１でＹの場合）、判別部３０ａは、その中に撮影日時及び撮影場所が共通する共通画像があるかどうかを判別する。
【００７５】
共通画像がある場合（ステップ１２でＹの場合）、集計部３０ｂは、当該共通画像に紐づけられた撮影日時に応じて時系列に設定される所定の時間帯毎に、共通画像の撮影枚数を集計した集計情報を取得する（集計情報の取得。ステップ１３）。
【００７６】
データ送信部３０ｃは、ステップ１３で取得された集計情報、及び共通画像をカラオケ装置Ｋに送信する（集計情報及び共通画像の送信。ステップ１４）。
【００７７】
ある利用者が楽曲の選曲を行った場合、割り当て部４１ａは、利用者が選曲した楽曲の演奏区間に対して、所定の時間帯毎の共通画像を割り当てる。その際、割り当て部４１ａは、撮影枚数が多い時間帯の共通画像をサビ区間に割り当てる（演奏区間に対して共通画像を割り当てる場合、撮影枚数が多い時間帯の共通画像をサビ区間に割り当て。ステップ１５）。
【００７８】
表示制御部４１ｂは、楽曲のカラオケ演奏に伴って、演奏区間毎に割り当てられた共通画像を背景映像として表示装置３０に表示させる（共通画像を背景映像として表示。ステップ１６）。
【００７９】
このように、本実施形態に係るカラオケシステム１はサーバ装置Ｓとカラオケ装置Ｋを有する。サーバ装置Ｓは、利用者が所有する携帯端末から送信された、撮影日時及び撮影場所が紐づけられた画像を、利用者識別情報と関連付けて記憶する画像記憶部１０ａと、カラオケ装置Ｋに利用者がログインした場合、所定時間内に記憶された画像の中に、当該ログインした利用者の携帯端末から送信された画像が複数あるかどうかを判別し、画像が複数ある場合、その中に撮影日時及び撮影場所が共通する共通画像があるかどうかを判別する判別部３０ａと、共通画像がある場合、当該共通画像に紐づけられた撮影日時に応じて時系列に設定される所定の時間帯毎に、共通画像の撮影枚数を集計した集計情報を取得する集計部３０ｂと、集計情報及び共通画像をカラオケ装置Ｋに送信するデータ送信部３０ｃと、を有する。カラオケ装置Ｋは、利用者が選曲した楽曲の演奏区間に対して、所定の時間帯毎の共通画像を割り当てる場合、撮影枚数が多い時間帯の共通画像をサビ区間に割り当てる割り当て部４１ａと、楽曲のカラオケ演奏に伴って、演奏区間に対して割り当てられた共通画像を背景映像として表示装置３０に表示させる表示制御部４１ｂと、を有する。
【００８０】
一般に、イベントが盛り上がる場面においては画像の撮影枚数も多くなる。よって、撮影枚数が多い時間帯の共通画像を楽曲が盛り上がる演奏区間（サビ区間）に割り当てることにより、楽曲の盛り上がりに合わせて、イベントが盛り上がっている場面を背景映像として表示できる。すなわち、本実施形態に係るカラオケシステム１によれば、利用者が撮影した画像をカラオケ演奏の背景映像として利用する場合に、楽曲の盛り上がりに合わせて適切な画像を表示することができる。
【００８１】
また、割り当て部４１ａは、所定の時間帯毎の共通画像を割り当てる場合、所定の時間帯に応じて時系列に割り当てることができる。或いは、表示制御部４１ｂは、共通画像を背景映像として表示させる場合、共通画像に紐づけられている撮影日時に応じて時系列に表示させることができる。
【００８２】
このように、所定の時間帯が早い順に共通画像を割り当てたり、撮影日時の早い順に共通画像を表示させることにより、イベントの流れに沿って背景映像を表示することができる。
【００８３】
また、表示制御部４１ｂは、各演奏区間の長さに応じて一の共通画像を表示する時間を調整することができる。別の方法として、表示制御部４１ｂは、ある演奏区間において割り当てられた共通画像の表示が終了した場合、他の演奏区間に割り当てられた共通画像を表示させることができる。更に別の方法として、表示制御部４１ｂは、ある演奏区間において割り当てられた共通画像の表示が終了した場合、当該ある演奏区間に割り当てられた共通画像を繰り返し表示させることができる。
【００８４】
これらいずれかの方法によって共通画像を表示させることにより、たとえば、ある演奏区間の長さに対して割り当てられた共通画像が少ない場合であっても、当該ある演奏区間のカラオケ演奏中に背景映像が表示されない事態が生じることがない。
【００８５】
また、各利用者が同一イベントにて撮影した画像を集計し、楽曲の背景映像として表示させることにより、従来のような１つのアングルから撮影された画像だけではなく、同一時間帯に複数のアングルから撮影された画像を背景映像として表示することができる。
【００８６】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８７】
１  カラオケシステム
１０ａ  画像記憶部
３０ａ  判別部
３０ｂ  集計部
３０ｃ  データ送信部
４１ａ  割り当て部
４１ｂ  表示制御部
Ｋ  カラオケ装置
Ｍ１〜Ｍ４  携帯端末
Ｓ  サーバ装置
【図１】
2020020892.tif 000003
【図２】
2020020892.tif 000004
【図３】
2020020892.tif 000005
【図４】
2020020892.tif 000006
【図５Ａ】
2020020892.tif 000007
【図５Ｂ】
2020020892.tif 000008
【図６】
2020020892.tif 000009